(57)【要約】【課題】機器を縦向き姿勢もしくは横向き姿勢に選択的に取付可能とすると共に、上下の固定部材の間隔が誤差を有する場合であっても取付状態の傾斜量の軽減を有効に図った壁掛け機器を提供する。【解決手段】機器１０の裏面側ケース部１０ａに上下方向に離隔して取付孔部１６を備える。取付孔部１６は取付ネジ１２の頭部１２ａが挿脱自在な頭部挿脱孔１６ａと軸部１２ｂが相対移動可能な掛止孔１６ｂとからなる。両取付孔部１６における各掛止孔１６ｂの中心線Ｌが重力方向Ｇに対して共に同じ方向に４５度傾斜した右上がり傾斜とされ、上側の取付孔部１６が裏面側ケース部１０ａの右寄りに配置されると共に下側の取付孔部１６が裏面側ケース部１０ａの左寄りに配置される。【選択図】図１
2008243882.tif 000002
【特許請求の範囲】
【請求項１】
壁面に固定された固定部材の軸部が相対移動可能で、前記軸部の端部に備えられた頭部が通過不能な孔幅を有する直線状の掛止孔と、該掛止孔の下端部に形成されて前記頭部が挿脱自在な頭部挿脱孔とからなる取付孔部が、機器裏面に上下方向に離隔して２箇所に備えられ、各取付孔部を対応する前記固定部材に引っ掛けることにより取り付けられる壁掛け機器において、
前記両取付孔部における前記各掛止孔の中心線が重力方向に対して共に同じ方向に同じ角度傾斜して形成され、前記頭部挿脱孔に対して掛止孔が右上がり傾斜の場合には、上側の取付孔部が機器裏面の右寄りに配置されると共に下側の取付孔部が機器裏面の左寄りに配置され、頭部挿脱孔に対して掛止孔が左上がり傾斜の場合には、上側の取付孔部が機器裏面の左寄りに配置されると共に下側の取付孔部が機器裏面の右寄りに配置されていることを特徴とする壁掛け機器。
【請求項２】
前記両取付孔部における前記各掛止孔の前記中心線が同一直線上に配置されると共に、両取付孔部が機器裏面の対角にそれぞれ配置されていることを特徴とする請求項１に記載の壁掛け機器。
【請求項３】
前記各掛止孔の前記中心線が、前記重力方向に対して４５度傾斜して形成されていることを特徴とする請求項１または請求項２に記載の壁掛け機器。
【発明の詳細な説明】
【技術分野】
【０００１】
本発明は、電話機、インターフォン、モデム機器などのように、壁面に対して容易に取り付け可能とされた壁掛け機器に関するものである。
【背景技術】
【０００２】
電話機、インターフォン、モデム機器などの宅内機器は、利便性の面から、屋内の壁面に設置して用いられることが多い。従来、このような宅内機器の壁面への固定構造として、いろいろな構造が知られている（例えば、特許文献１および特許文献２参照）。
【０００３】
特許文献１に開示の構造によれば、壁面に固定される木ネジの頭部が挿脱可能な該頭部の直径より大きい直径を有する頭部挿脱孔と、木ネジの軸部が相対移動可能な孔幅を有する掛止孔とからなるいわゆるだるま型の取付孔部が、機器の裏面側ケースに上下方向に離隔して２箇所に形成されている。そして、各取付孔部を壁面に適宜位置までネジ込まれた木ネジの頭部にそれぞれ引っ掛けて取り付ける構造とされていた。
【０００４】
この際、取付孔部における頭部挿脱孔は下端部に位置し、掛止孔は頭部挿脱孔より上方に延設された構造とされており、木ネジに対する引っ掛け状態においては、重力によって、木ネジが掛止孔に引っ掛かる方向に作用するため、機器の安定した取付状態が得られていた。
【０００５】
また、特許文献２に開示の構造によれば、上記同様のいわゆるだるま型の取付孔部を有する取付片を、機器の裏面側に９０度の範囲で回転可能に複数取り付け、各取付孔部を壁面に適宜位置までネジ込まれた木ネジの頭部にそれぞれ引っ掛けて取り付ける構造とされていた。そして、各取付片の角度を変更することにより、機器の取付姿勢を必要に応じて縦向き姿勢もしくは横向き姿勢に選択的に変更可能に構成されていた。この場合も上記同様に、機器の安定した取付状態が得られていた。
【０００６】
【特許文献１】特開平８−２３７３４３号公報
【特許文献２】特開平８−００８５４３号公報
【発明の開示】
【発明が解決しようとする課題】
【０００７】
しかしながら、特許文献１に開示の上記構造によれば、機器を９０度回転させて固定したい場合には、だるま型の取付孔部が水平方向を向くため、重力による安定した取付状態が望めないという問題があった。
【０００８】
また、特許文献２に開示の上記構造によれば、各取付片が互いに９０度の範囲で選択的に固定可能に構成されているため、機器を縦向き姿勢と横向き姿勢とに取付可能とされているが、機器の設置工事の際に各取付片をそれぞれ回転調整する必要があるなどの煩雑さがあった。
【０００９】
そこで、図１１に示されるように、機器の裏面側ケース部１に重力方向に沿った上下方向に離隔して形成された各取付孔部２における掛止孔２ａの中心線Ｌが、重力方向Ｇに対して共に同じ方向に所定角度（例えば４５度）傾斜して形成することが考えられる（参考例）。
【００１０】
この場合、図１１に示す裏面側ケース部１の上辺もしくは右側辺を、選択的に上側とすることにより、機器の取付姿勢を２つの方向に安定して取付可能となる。なお、図中、３ａは壁面に固定される取付ネジ３の軸部である。
【００１１】
しかしながら、機器の設置工事に際して、取付ネジ３の間隔が決められた寸法からずれた場合、機器が傾斜して取り付けられるという新たな問題点が生じる。例えば、上下の取付ネジ３の間隔が決められた寸法よりも大きい方にずれた場合には、図１２に示されるように、上側の取付孔部２における掛止孔２ａの頂部に取付ネジ３の軸部３ａが係合するが、下側の取付孔部２では、間隔が大きくなった分、掛止孔２ａの頂部からその掛止孔２ａの長手方向下方に取付ネジ３の係合部分が移動する。このため、上側の取付ネジ３を中心にして機器が反時計方向に回転した傾斜状態で取り付けられることになる。
【００１２】
また、上下の取付ネジ３の間隔が決められた寸法よりも小さい方にずれた場合には、図１３に示されるように、下側の取付孔部２における掛止孔２ａの頂部に取付ネジ３の軸部３ａが係合するが、上側の取付孔部２では、間隔が小さくなった分、掛止孔２ａの頂部からその掛止孔２ａの長手方向下方に取付ネジ３の係合部分が移動する。このため、下側の取付ネジ３を中心にして機器が時計方向に回転した傾斜状態で取り付けられることになる。
【００１３】
そこで、本発明は簡単な構造で、機器を縦向き姿勢もしくは横向き姿勢に選択的に取付可能とすると共に、上下の固定部材の間隔が誤差を有する場合であっても取付状態の傾斜量の軽減を有効に図った壁掛け機器を提供することを目的とする。
【課題を解決するための手段】
【００１４】
本発明に係る請求項１記載の壁掛け機器は、壁面に固定された固定部材の軸部が相対移動可能で、前記軸部の端部に備えられた頭部が通過不能な孔幅を有する直線状の掛止孔と、該掛止孔の下端部に形成されて前記頭部が挿脱自在な頭部挿脱孔とからなる取付孔部が、機器裏面に上下方向に離隔して２箇所に備えられ、各取付孔部を対応する前記固定部材に引っ掛けることにより取り付けられる壁掛け機器において、前記両取付孔部における前記各掛止孔の中心線が重力方向に対して共に同じ方向に同じ角度傾斜して形成され、前記頭部挿脱孔に対して掛止孔が右上がり傾斜の場合には、上側の取付孔部が機器裏面の右寄りに配置されると共に下側の取付孔部が機器裏面の左寄りに配置され、頭部挿脱孔に対して掛止孔が左上がり傾斜の場合には、上側の取付孔部が機器裏面の左寄りに配置されると共に下側の取付孔部が機器裏面の右寄りに配置されている。
【発明の効果】
【００１５】
本発明に係る請求項１記載の壁掛け機器によれば、両取付孔部における各掛止孔の中心線が重力方向に対して共に同じ方向に同じ角度傾斜して形成され、頭部挿脱孔に対して掛止孔が右上がり傾斜の場合には、上側の取付孔部が機器裏面の右寄りに配置されると共に下側の取付孔部が機器裏面の左寄りに配置され、頭部挿脱孔に対して掛止孔が左上がり傾斜の場合には、上側の取付孔部が機器裏面の左寄りに配置されると共に下側の取付孔部が機器裏面の右寄りに配置されている構造とされており、同じ角度傾斜する掛止孔により、機器を縦向き姿勢もしくは横向き姿勢に選択的に安定して取り付けることができ、その構造も簡単である利点がある。
【００１６】
そして、壁面に固定された固定部材の間隔が決められた寸法よりも大きい方もしくは小さい方にずれた場合には、前述のように、機器が反時計方向もしくは時計方向に若干回転し傾斜した状態で取り付けられることになる。しかしながら、この回転による機器の傾斜量は、両取付孔部の所定位置を結ぶ直線と、傾斜して形成された各掛止孔の中心線との成す角度の正接に比例するため、上記参考例のように両取付孔部が重力方向に沿って上下に離隔している場合と比較して、両取付孔部を結ぶ直線と各掛止孔の中心線との前記成す角度がより小さくなり、ここに、その成す角度が小さくなった分だけ機器が回転する傾斜量が少なくなり、上下の固定部材の間隔が誤差を有する場合であっても、機器の取付状態の傾斜量を有効に軽減することができる。
【発明を実施するための最良の形態】
【００１７】
＜実施の形態１＞
以下、本発明の実施の形態１を図面に基づいて説明すると、図１は壁掛け機器１０の裏面側ケース部１０ａを示し、図２は壁掛け機器１０が固定部材としての取付ネジ１２により、壁面１４に固定された取付状態の断面図を示している。
【００１８】
壁掛け機器１０は、一辺が他辺よりも比較的長い概略長方形の裏面を有するケース構造とされており、その内部には壁掛け機器１０の用途に応じた部品等が収容されている。
【００１９】
壁掛け機器１０における裏面側ケース部１０ａには、２箇所に取付孔部１６が形成されている。各取付孔部１６は、壁掛け機器１０の裏面側から見て図１に示されるように、下端部に位置して取付ネジ１２の頭部１２ａが挿脱自在な円形の頭部挿脱孔１６ａがそれぞれ形成されると共に、該頭部挿脱孔１６ａより右上がり傾斜状に中心を通る径方向に延設して掛止孔１６ｂがそれぞれ形成され、いわゆるだるま型に構成されている。
【００２０】
各掛止孔１６ｂは、取付ネジ１２の頭部１２ａが通過不能で、頭部１２ａに連設された軸部１２ｂが相対移動可能な孔幅を有する直線状に形成されている。そして、各掛止孔１６ｂの中心線Ｌは重力方向Ｇに対して共に同じ方向に同じ角度、本実施の形態では４５度傾斜した構造とされており、上側の取付孔部１６は裏面側ケース部１０ａの右寄りに配置されると共に、下側の取付孔部１６は裏面側ケース部１０ａの左寄りに配置され、対角に位置してそれぞれ配置された構造とされている。即ち、壁掛け機器１０の取付状態が安定するように長辺に沿った上下方向になるべく間隔をあけて設けた構造とされている。
【００２１】
この際、上側の取付孔部１６をできるだけ右寄りに配置し、下側の取付孔部１６をできるだけ左寄りに配置して、両取付孔部１６の対応する所定位置を結ぶ直線Ｓと、掛止孔１６ｂにおける中心線Ｌとの成す角度θが可能な限り小さくなるように配置されている。
【００２２】
次に、壁面１４に対する壁掛け機器１０の取付手順を説明する。
【００２３】
先ず、壁掛け機器１０を取り付けたい壁面１４に、裏面側ケース部１０ａの各取付孔部１６の位置に対応させて２本の取付ネジ１２を予めねじ込む。この際、取付ネジ１２は、壁面１４の表面と取付ネジ１２の頭部１２ａとの間を、裏面側ケース部１０ａの厚みよりも僅かに大きい寸法だけ空けたところまでねじ込む。
【００２４】
次に、裏面側ケース部１０ａの各取付孔部１６における頭部挿脱孔１６ａを、壁面１４に固定された各取付ネジ１２の頭部１２ａにそれぞれ合わせて押し付ければ、各頭部１２ａが頭部挿脱孔１６ａを通じて裏面側ケース部１０ａの内側に挿入される。
【００２５】
この状態で、掛止孔１６ｂの延設方向と反対の方向に壁掛け機器１０を移動させれば、取付ネジ１２の軸部１２ｂが掛止孔１６ｂに沿って相対移動され、図１に示されるように、各軸部１２ｂが掛止孔１６ｂの上端部に当接した状態が得られる。この状態で手を離せば、各取付ネジ１２の頭部１２ａが各取付孔部１６における掛止孔１６ｂの周縁部で裏面側ケース部１０ａに抜止め状に掛止し、ここに、壁掛け機器１０は取付ネジ１２に引っ掛けられた取付状態で固定される。この際、重力の作用する方向で掛止されているため、取付状態も安定する。
【００２６】
また、上記の場合、壁掛け機器１０を図１に示されるような縦向き姿勢で取り付けた状態を例示しているが、図１の右辺部分を上側とした横向き姿勢でも同様に取り付けることができ、選択的に姿勢変更可能に構成されている。
【００２７】
本実施の形態は以上のように構成されており、取付孔部１６における掛止孔１６ｂが共に同じ方向に同じ角度傾斜して形成されているため、壁掛け機器１０を縦向き姿勢もしくは横向き姿勢に選択的に安定して取り付けることができる。そして、その構造も掛止孔１６ｂを傾斜して形成した簡単な構造によって提供できる。
【００２８】
特に、掛止孔１６ｂの中心線の傾斜角度を４５度としているため、壁掛け機器１０を縦向き姿勢で取り付けた場合であっても、横向き姿勢で取り付けた場合であっても、共に同じ安定度で取り付けることができる利点がある。
【００２９】
また、壁掛け機器１０の設置工事に際して、取付ネジ１２の間隔が決められた寸法よりもずれた場合、例えば、図３に示されるように、取付ネジ１２の間隔が決められた寸法よりも大きい方にずれた場合には、上側の取付孔部１６における掛止孔１６ｂの頂部に取付ネジ１２の軸部１２ｂが係合するが、下側の取付孔部１６では、間隔が大きくなった分、掛止孔１６ｂの頂部からその掛止孔１６ｂの長手方向下方に取付ネジ１２の係合部分が移動する。そのため、上側の取付ネジ１２を中心にして壁掛け機器１０が反時計方向に僅かに回転した傾斜状態で取り付けられる。
【００３０】
逆に、図４に示されるように、取付ネジ１２の間隔が決められた寸法よりも小さい方にずれた場合には、下側の取付孔部１６における掛止孔１６ｂの頂部に取付ネジ１２の軸部１２ｂが係合するが、上側の取付孔部１６では、間隔が小さくなった分、掛止孔１６ｂの頂部からその掛止孔１６ｂの長手方向下方に取付ネジ１２の係合部分が移動する。そのため、下側の取付ネジ１２を中心にして壁掛け機器１０が時計方向に僅かに回転した傾斜状態で取り付けられる。
【００３１】
しかしながら、この回転による壁掛け機器１０の傾斜量は、両取付孔部１６を結ぶ直線Ｓと、傾斜して形成された各掛止孔１６ｂの中心線Ｌとの成す角度θの正接に比例するため、前記参考例のように両取付孔部２が重力方向Ｇに沿って上下に離隔している場合と比較して、両取付孔部１６を結ぶ直線Ｓと各掛止孔１６ｂの中心線Ｌとの成す角度θがより小さくなり、ここに、その成す角度θが小さくなった分だけ機器１０が回転する傾斜量が少なくなり、上下の取付ネジ１２の間隔が誤差を有する場合であっても、機器１０の取付状態の傾斜量を有効に軽減することができる。
【００３２】
なお、上記実施の形態においては、取付孔部１６における掛止孔１６ｂがそれぞれ右上がり傾斜に形成された構造を示しているが、取付孔部１６における掛止孔１６ｂをそれぞれ左上がり傾斜に形成する構造としてもよい。この場合、上側の取付孔部１６は裏面側ケース部１０ａの左寄りに配置し、下側の取付孔部１６は裏面側ケース部１０ａの右寄りに配置すればよく、前述同様の効果が得られる。
【００３３】
＜実施の形態２＞
図５ないし図７は実施の形態２を示しており、各図は壁掛け機器１０の裏面図を示している。また、この実施の形態においては、二辺の長さが共に似通った正方形に近い矩形状の裏面を持つ壁掛け機器１０の場合とされている。そして、前記実施の形態１と同様構成部分は同一符号を付している。
【００３４】
本実施の形態においても、壁掛け機器１０の裏面側ケース部１０ａに、取付孔部１６が２個所に形成されている。そして、取付孔部１６の掛止孔１６ｂは、実施の形態１と同様、機器１０の裏面から見て時計方向に４５度傾斜する右上がり傾斜とされている。
【００３５】
そして、特に本実施の形態においては、各取付孔部１６は、上下に離隔した両取付孔部１６における各掛止孔１６ｂの中心線Ｌが、同一直線上に位置するように配置されると共に、裏面側ケース部１０ａの対角にそれぞれ配置された構造とされている。従って、両取付孔部１６を結ぶ直線Ｓと、傾斜して形成された各掛止孔１６ｂの中心線Ｌとの成す角度θがゼロの状態に配置された構造とされている。また、その他の構造は、実施の形態１と同様に構成されている。
【００３６】
本実施の形態は以上のように構成されており、本実施の形態においても実施の形態１と同様にして、壁面１４に壁掛け機器１０を、縦向き姿勢もしくは横向き姿勢に選択的に安定した状態で取り付けることができる。そして、その構造も掛止孔１６ｂを傾斜して形成した簡単な構造によって提供できる。
【００３７】
また、実施の形態１と同様、掛止孔１６ｂの中心線の傾斜角度を４５度としているため、壁掛け機器１０を縦向き姿勢もしくは横向き姿勢のいずれの取り付け姿勢であっても同じ安定度が得られる利点がある。
【００３８】
また、壁掛け機器１０の設置工事に際して、取付ネジ１２の間隔が決められた寸法よりもずれた場合、例えば、図６に示されるように、取付ネジ１２の間隔が決められた寸法よりも大きい方にずれた場合には、上側の取付孔部１６における掛止孔１６ｂの頂部に取付ネジ１２の軸部１２ｂが係合するが、下側の取付孔部１６では、間隔が大きくなった分、掛止孔１６ｂの頂部からその掛止孔１６ｂの長手方向下方に取付ネジ１２の係合部分が移動する。しかしながら、両取付孔部１６を結ぶ直線Ｓと、傾斜して形成された各掛止孔１６ｂの中心線Ｌとの成す角度θがゼロのため、その正接もゼロとなり、下側の取付孔部１６の係合部分の移動が、２本の取付ネジ１２を通る直線上で行われ、機器１０の姿勢が変化することなく固定された取付状態が得られる。
【００３９】
これに対し、図７に示されるように、取付ネジ１２の間隔が決められた寸法よりも小さい方にずれた場合には、下側の取付孔部１６における掛止孔１６ｂの頂部に取付ネジ１２の軸部１２ｂが係合するが、上側の取付孔部１６では、間隔が小さくなった分、掛止孔１６ｂの頂部からその掛止孔１６ｂの長手方向下方に取付ネジ１２の係合部分が移動する。この場合にも両取付孔部１６を結ぶ直線Ｓと、傾斜して形成された各掛止孔１６ｂの中心線Ｌとの成す角度θがゼロのため、その正接もゼロとなり、上側の取付孔部１６の係合部分の移動が、２本の取付ネジ１２を通る直線上で行われ、機器１０の姿勢が変化することなく固定された取付状態が得られる。
【００４０】
従って、上下の取付ネジ１２の間隔が決められた寸法に対して若干の誤差を有する場合であっても、機器１０の取付状態の傾斜量を有効に無くすことができ、姿勢を変化させずに機器１０を取り付けることができる。
【００４１】
なお、上記実施の形態においては、取付孔部１６における掛止孔１６ｂがそれぞれ右上がり傾斜に形成された構造を示しているが、取付孔部１６における掛止孔１６ｂをそれぞれ左上がり傾斜に形成する構造としてもよい。この場合、上記同様、上側の取付孔部１６は裏面側ケース部１０ａの左寄りに配置し、下側の取付孔部１６は裏面側ケース部１０ａの右寄りに配置すればよく、前述同様の効果が得られる。
【００４２】
＜実施の形態３＞
図８ないし図１０は実施の形態３を示しており、各図は壁掛け機器１０の裏面図を示している。また、この実施の形態においては、前記実施の形態１と同様、一辺が他辺より比較的長い概略長方形の裏面を持つ壁掛け機器１０の場合とされている。そして、前記実施の形態１と同様構成部分は同一符号を付している。
【００４３】
本実施の形態においても、壁掛け機器１０の裏面側ケース部１０ａに、取付孔部１６が２個所に形成されている。そして、取付孔部１６の掛止孔１６ｂは、機器１０の裏面から見て時計方向に共に同じ角度傾斜する右上がり傾斜とされている。
【００４４】
そして、実施の形態２と同様、各取付孔部１６は、上下に離隔した両取付孔部１６における各掛止孔１６ｂの中心線Ｌが、同一直線上に位置するように配置されると共に、裏面側ケース部１０ａの対角にそれぞれ配置された構造とされている。この際、中心線Ｌと一致する前記直線が重力方向Ｇに対して機器１０の裏面から見て時計方向に、裏面側ケース部１０ａの領域が許す限り傾けて設けられた構造とされている。
【００４５】
従って、両取付孔部１６を結ぶ直線Ｓと、傾斜して形成された各掛止孔１６ｂの中心線Ｌとの成す角度θがゼロの状態に配置された構造とされている。また、その他の構造は、実施の形態１と同様に構成されている。
【００４６】
本実施の形態は以上のように構成されており、本実施の形態においても実施の形態１と同様にして、壁面１４に壁掛け機器１０を、縦向き姿勢もしくは横向き姿勢に選択的に安定した状態で取り付けることができる。そして、その構造も掛止孔１６ｂを傾斜して形成した簡単な構造によって提供できる。
【００４７】
また、壁掛け機器１０の設置工事に際して、取付ネジ１２の間隔が決められた寸法よりもずれた場合、例えば、図９に示されるように、取付ネジ１２の間隔が決められた寸法よりも大きい方にずれた場合には、上側の取付孔部１６における掛止孔１６ｂの頂部に取付ネジ１２の軸部１２ｂが係合するが、下側の取付孔部１６では、間隔が大きくなった分、掛止孔１６ｂの頂部からその掛止孔１６ｂの長手方向下方に取付ネジ１２の係合部分が移動する。しかしながら、両取付孔部１６を結ぶ直線Ｓと、傾斜して形成された各掛止孔１６ｂの中心線Ｌとの成す角度θがゼロのため、その正接もゼロとなり、下側の取付孔部１６の係合部分の移動が、２本の取付ネジ１２を通る直線上で行われ、機器１０の姿勢が変化することなく固定された取付状態が得られる。
【００４８】
これに対し、図１０に示されるように、取付ネジ１２の間隔が決められた寸法よりも小さい方にずれた場合には、下側の取付孔部１６における掛止孔１６ｂの頂部に取付ネジ１２の軸部１２ｂが係合するが、上側の取付孔部１６では、間隔が小さくなった分、掛止孔１６ｂの頂部からその掛止孔１６ｂの長手方向下方に取付ネジ１２の係合部分が移動する。この場合にも両取付孔部１６を結ぶ直線Ｓと、傾斜して形成された各掛止孔１６ｂの中心線Ｌとの成す角度θがゼロのため、その正接もゼロとなり、上側の取付孔部１６の係合部分の移動が、２本の取付ネジ１２を通る直線上で行われ、機器１０の姿勢が変化することなく固定された取付状態が得られる。
【００４９】
従って、上下の取付ネジ１２の間隔が決められた寸法に対して若干の誤差を有する場合であっても、機器１０の取付状態の傾斜量を有効に無くすことができ、姿勢を変化させずに機器１０を取り付けることができる。そのため、近似する壁掛け機器１０である実施の形態１に対して、取付ネジ１２の間隔のずれに対する機器１０の傾きをより少なくする目的に使用することができる。
【００５０】
なお、上記実施の形態においては、取付孔部１６における掛止孔１６ｂがそれぞれ右上がり傾斜に形成された構造を示しているが、取付孔部１６における掛止孔１６ｂをそれぞれ左上がり傾斜に形成する構造としてもよい。この場合、上記同様、上側の取付孔部１６は裏面側ケース部１０ａの左寄りに配置し、下側の取付孔部１６は裏面側ケース部１０ａの右寄りに配置されすればよく、前述同様の効果が得られる。
【図面の簡単な説明】
【００５１】
【図１】本発明に係る実施の形態１の壁掛け機器の裏面図である。
【図２】壁面に取り付けた状態の側断面図である。
【図３】壁掛け機器の取付状態説明図である。
【図４】壁掛け機器の取付状態説明図である。
【図５】本発明に係る実施の形態２の壁掛け機器の裏面図である。
【図６】壁掛け機器の取付状態説明図である。
【図７】壁掛け機器の取付状態説明図である。
【図８】本発明に係る実施の形態３の壁掛け機器の裏面図である。
【図９】壁掛け機器の取付状態説明図である。
【図１０】壁掛け機器の取付状態説明図である。
【図１１】参考例に係る壁掛け機器の裏面図である。
【図１２】壁掛け機器の取付状態説明図である。
【図１３】壁掛け機器の取付状態説明図である。
【符号の説明】
【００５２】
１０  壁掛け機器、１０ａ  裏面側ケース部、１２  取付ネジ、１２ａ  頭部、１２ｂ  軸部、１４  壁面、１６  取付孔部、１６ａ  頭部挿脱孔、１６ｂ  掛止孔。
【図１】
2008243882.tif 000003
【図２】
2008243882.tif 000004
【図３】
2008243882.tif 000005
【図４】
2008243882.tif 000006
【図５】
2008243882.tif 000007
【図６】
2008243882.tif 000008
【図７】
2008243882.tif 000009
【図８】
2008243882.tif 000010
【図９】
2008243882.tif 000011
【図１０】
2008243882.tif 000012
【図１１】
2008243882.tif 000013
【図１２】
2008243882.tif 000014
【図１３】
2008243882.tif 000015